(57)【要約】【課題】  この発明は、優れた無線通信機能を有する電子機器を提供することを課題とする。【解決手段】  ノートＰＣ１の表示筐体２と機器本体４の間にアンテナ１０を配置し、機器本体４内に収容配置した無線モジュール１２との間の給電位置を機器本体４側に配置した。これにより、ヒンジ部を通してケーブルを配線する必要がない。【選択図】      図２
2010011405.tif 000002
【特許請求の範囲】
【請求項１】
第１の筐体と、
この第１の筐体の一端にヒンジ部を介して接続された第２の筐体と、
上記第１の筐体の上記一端側に配置したアンテナエレメントを有するアンテナと、
上記第２の筐体内に配置され、上記アンテナに給電する無線モジュールと、を有し、
上記無線モジュールの上記アンテナに対する給電位置が上記第２の筐体側にあることを特徴とする電子機器。
【請求項２】
上記アンテナエレメントは、上記第１の筐体を上記第２の筐体に重ねて閉じた状態で、上記第２の筐体から離間した上記第１の筐体の背面側に配置されていることを特徴とする請求項１に記載の電子機器。
【請求項３】
上記第１の筐体の背面には、上記アンテナエレメントを当該背面より外側で収容配置するための収容部が突設されていることを特徴とする請求項２に記載の電子機器。
【請求項４】
上記第１の筐体に配置された表示パネルをさらに有し、
上記アンテナエレメントは、上記表示パネルが露出した側と反対側の上記第１の筐体の背面側に配置されていることを特徴とする請求項１に記載の電子機器。
【請求項５】
第１の筐体と、
この第１の筐体の一端にヒンジ部を介して接続された第２の筐体と、
上記第１の筐体の上記一端および上記第２の筐体を架橋するように配置された折り曲げ可能なアンテナと、
上記第２の筐体内に配置され、上記アンテナが当該第２の筐体に延在した部分に給電するための無線モジュールと、
を有することを特徴とする電子機器。
【請求項６】
上記アンテナは、
上記第１および第２の筐体を架橋して配置される折り曲げ可能な基板と、
上記第１の筐体側に配置された上記基板の第１の部分に形成されたアンテナエレメントと、を有し、
このアンテナエレメントに対する給電位置は、上記第２の筐体側に配置された上記基板の第２の部分にあることを特徴とする請求項５に記載の電子機器。
【請求項７】
上記アンテナは、上記基板の上記第２の部分に形成されたアンテナグランドをさらに有することを特徴とする請求項６に記載の電子機器。
【請求項８】
上記基板の上記第１の部分は、上記第１の筐体を上記第２の筐体に重ねて閉じた状態で、上記第２の筐体から離間した上記第１の筐体の背面側に片寄った位置に配置されていることを特徴とする請求項７に記載の電子機器。
【請求項９】
上記第１の筐体の背面には、上記基板の上記第１の部分を当該背面より外側で収容配置するための収容部が突設されていることを特徴とする請求項８に記載の電子機器。
【請求項１０】
上記アンテナエレメントの少なくとも一部は、上記第１の筐体を上記第２の筐体に重ねて閉じた状態で、上記アンテナグランドに重ならない位置に形成されていることを特徴とする請求項７に記載の電子機器。
【請求項１１】
上記アンテナグランドは、上記第１の筐体を上記第２の筐体に重ねて閉じた状態で、上記アンテナエレメントに重ならない位置に形成されていることを特徴とする請求項７に記載の電子機器。
【請求項１２】
上記無線モジュールは、上記基板の上記第２の部分に実装されていることを特徴とする請求項６に記載の電子機器。
【請求項１３】
第１の筐体と、
この第１の筐体の一端にヒンジ部を介して離間して接続された第２の筐体と、
上記第１の筐体の上記一端と上記第２の筐体との間の隙間を架橋するように配置された折り曲げ可能なアンテナと、
上記第２の筐体内に配置され、上記アンテナに給電するための無線モジュールと、を有し、
上記アンテナは、
上記第１および第２の筐体を架橋して配置される折り曲げ可能な基板と、
上記隙間に介在された上記基板の第３の部分に形成されたアンテナエレメントと、を有し、
このアンテナエレメントに対する給電位置は、上記第２の筐体側に配置された上記基板の第２の部分に形成されていることを特徴とする電子機器。
【請求項１４】
上記アンテナは、上記基板の上記第２の部分に形成されたアンテナグランドをさらに有することを特徴とする請求項１３に記載の電子機器。
【請求項１５】
上記第１および第２の筐体間を架橋して上記隙間を覆う非導電性のカバー部材をさらに有することを特徴とする請求項１４に記載の電子機器。
【発明の詳細な説明】
【技術分野】
【０００１】
この発明は、無線通信機能を有するノート型のポータブルコンピュータなどの電子機器に関する。
【背景技術】
【０００２】
従来、無線通信機能を有する電子機器として、表示部の筐体の背面側に開口部を形成して表示パネルの背部にアンテナを実装したノート型のポータブルコンピュータ（以下、単にノートＰＣと称する）が知られている（例えば、特許文献１参照。）。このノートＰＣは、ヒンジ機構を介して表示部筐体の下端を回動自在に取り付けたＰＣ本体を有する。アンテナに給電するための無線送受信回路モジュールは、ＰＣ本体内に配置されている。そして、ヒンジ機構を通してＰＣ本体と表示部筐体を連絡して延設された同軸ケーブルによって、アンテナと無線送受信回路モジュールとが電気的に接続されている。
【０００３】
つまり、このノートＰＣにおいては、ヒンジ機構を通して、アンテナと無線送受信回路モジュールをつなぐ同軸ケーブルを配線する必要があり、複数のアンテナを設けた場合などには、複数本の同軸ケーブルを束ねて配線する必要があり、同軸ケーブルの径を大径にできない問題がある。言い換えると、このノートＰＣでは、同軸ケーブルを１ｍｍ程度の小径にする必要があり、その分、同軸ケーブルの断面積が小さくなり、伝送する信号が劣化してしまう。
【０００４】
また、無線通信特性を良好にするため、例えば、アンテナを表示部筐体のヒンジ機構から離れた上端側に配置すると、同軸ケーブルの長さもその分長くなり、部品コストが増大するとともにケーブルの引き回しのためのスペースも必要となり、装置の大型化につながる。その上、同軸ケーブルが長くなると、伝送する信号も劣化する。
【特許文献１】特開２００２−１９６８３７号公報
【発明の開示】
【発明が解決しようとする課題】
【０００５】
この発明の目的は、優れた無線通信機能を有する電子機器を提供することにある。
【課題を解決するための手段】
【０００６】
上記目的を達成するため、本発明の電子機器は、第１の筐体と、この第１の筐体の一端にヒンジ部を介して接続された第２の筐体と、上記第１の筐体の上記一端側に配置したアンテナエレメントを有するアンテナと、上記第２の筐体内に配置され、上記アンテナに給電する無線モジュールと、を有し、上記無線モジュールの上記アンテナに対する給電位置が上記第２の筐体側にある。
【０００７】
上記発明によると、第１の筐体の第２の筐体に近接した一端側に片寄った位置にアンテナエレメントを配置し、第２の筐体側に無線モジュールの給電位置を設けたため、無線モジュールとアンテナエレメントをつなぐ給電のためのケーブルをヒンジ部を通して配線する必要がない。このため、給電ケーブルの径を大きくでき、且つ短くでき、伝送する信号が劣化されることがない。
【０００８】
また、本発明の電子機器は、第１の筐体と、この第１の筐体の一端にヒンジ部を介して接続された第２の筐体と、上記第１の筐体の上記一端および上記第２の筐体を架橋するように配置された折り曲げ可能なアンテナと、上記第２の筐体内に配置され、上記アンテナが当該第２の筐体に延在した部分に給電するための無線モジュールと、を有する。
【０００９】
上記発明によると、第１および第２の筐体を架橋するようにアンテナを取り付けて、第２の筐体に配置した無線モジュールからアンテナに給電するようにしたため、ヒンジ部を通して給電ケーブルを配線する必要がなく、給電ケーブルの径を大きくでき、且つ短くでき、伝送する信号が劣化されることを防止できる。
【００１０】
さらに、本発明の電子機器は、第１の筐体と、この第１の筐体の一端にヒンジ部を介して離間して接続された第２の筐体と、上記第１の筐体の上記一端と上記第２の筐体との間の隙間を架橋するように配置された折り曲げ可能なアンテナと、上記第２の筐体内に配置され、上記アンテナに給電するための無線モジュールと、を有し、上記アンテナは、上記第１および第２の筐体を架橋して配置される折り曲げ可能な基板と、上記隙間に介在された上記基板の第３の部分に形成されたアンテナエレメントと、を有し、このアンテナエレメントに対する給電位置は、上記第２の筐体側に配置された上記基板の第２の部分に形成されている。
【００１１】
上記発明によると、第１および第２の筐体間の隙間に介在された基板の第３の部分にアンテナエレメントを形成したため、アンテナエレメントに重なる導電性の部材が無く、アンテナ特性を良好にできる。
【発明の効果】
【００１２】
この発明の電子機器は、上記のような構成および作用を有しているので、無線通信機能に優れている。
【発明を実施するための最良の形態】
【００１３】
以下、図面を参照しながらこの発明の実施の形態について詳細に説明する。
【００１４】
図１には、この発明の実施の形態に係る電子機器として、ノート型のパーソナルコンピュータ１（以下、単にノートＰＣ１と称する）の外観斜視図を示してある。また、図２には、このノートＰＣ１におけるアンテナ１０のレイアウトを説明するための模式図を示してある。さらに、図３には、アンテナ１０の構造を説明するための拡大図を示してある。なお、本発明の電子機器は、ここで説明するノートＰＣ１に限らず、２つの筐体をヒンジ部を介して接続したものであれば良い。
【００１５】
図１に示すように、ノートＰＣ１は、大きく分類して矩形板状の表示筐体２（第１の筐体）と矩形板状の機器本体４（第２の筐体）を有する。表示筐体２の下端（一端）は、２つのヒンジ部６を介して機器本体４に対して回動自在に接続されている。表示筐体２は、機器本体４の上面を閉じる閉じ位置と、図示のように上面を開放する開き位置と、の間で開閉自在とされている。
【００１６】
表示筐体２は、矩形板状の液晶パネル８（表示パネル）を内蔵している。そして、この液晶パネル８の下端より外側、すなわち表示筐体２の下端２ａには、図２に示すように、機器本体４との間を架橋して配置されたアンテナ１０が取り付けられている。換言すると、本実施の形態のアンテナ１０は、表示筐体２と機器本体４との間の接続部分を架橋する姿勢でノートＰＣ１に取り付けられている。
【００１７】
このアンテナ１０は、例えば、３Ｇアンテナ、Ｂｌｕｅｔｏｏｔｈ（登録商標）、無線ＬＡＮ用のアンテナなどである。なお、ここでは、１つのアンテナ１０のみ図示してあるが、表示筐体２の下端２ａに沿って複数のアンテナを配置することもできる。また、本実施の形態では、アンテナ１０は、ヒンジ部６から外れた位置に取り付けられている。
【００１８】
機器本体４内には、無線電波を送受信するために送信信号に応じた高周波信号を発生する給電回路として、無線モジュール１２が収容配置されている。そして、この無線モジュール１２は、配線１４を介して、アンテナ１０に接続されており、無線モジュール１２からアンテナ１０に給電するようになっている。なお、配線１４は、直径１ｍｍ程度の同軸ケーブルを含む。
【００１９】
無線モジュール１２は、ＣＰＵバス１６を介して、ＣＰＵ１７およびメモリ１８と接続されている。この無線モジュール１２は、図示しないＲＦ（Ｒａｄｉｏ  Ｆｒｅｑｕｅｎｃｙ）部、水晶発振部、およびベースバンド処理部を有する。なお、無線モジュール１２は、２つの筐体２、４間の接続部分に配置するアンテナ１０の種類や数に応じた適宜のものが必要な数だけ設けられる。以下の説明では、図示のように、２つの筐体２、４の接続部分に１つのアンテナ１０を配置した場合について説明する。
【００２０】
図３に示すように、アンテナ１０は、矩形のフレキシブル印刷回路基板１１（以下、単にＦＰＣ基板１１と称する）の表面に線状のアンテナエレメント１３および略矩形のアンテナグランド１５を印刷した構造を有する。アンテナエレメント１３が形成されたＦＰＣ基板１１の部分は、この発明の第１の部分として機能し、アンテナグランド１５が形成されたＦＰＣ基板１１の部分は、この発明の第２の部分として機能する。
【００２１】
アンテナエレメント１３は、主として、電磁波を送受信するよう機能する。アンテナエレメント１３は、Ｌ字状に折り曲げられた形状を有する。アンテナグランド１５は、塗りつぶされた導体パターンとして形成される。このアンテナ１０は、図４および図５に示すように、自由な角度に折り曲げ可能である。
【００２２】
アンテナエレメント１３およびアンテナグランド１５は、印刷（スクリーン印刷）によりＦＰＣ基板１１の表面に成膜される。本実施の形態では、アンテナエレメント１３およびアンテナグランド１５は、例えば、銅、ニッケル、金の薄膜をスクリーン印刷によって積層したもので形成されており、その厚み寸法は、例えば２０μｍとなっている。もっとも、これら金属薄膜１３、１５を形成する方法は、スクリーン印刷に限られるものではなく、例えば、スプレー塗装や、真空蒸着法、スパッタリング法、めっき法、およびこれらを組み合わせた方法によって形成することができる。
【００２３】
そして、アンテナエレメント１３の基端部１３ａには、同軸ケーブル１４の芯線１４ａが接続される。この芯線１４ａの接続部位がアンテナ１０に対する給電位置となる。そして、同軸ケーブル１４の編組線１４ｂがアンテナグランド１５に接続されている。アンテナエレメント１３の基端部１３ａをＦＰＣ基板１１の第２の部分まで延在させるため、本実施の形態では、アンテナグランド１５の一部を切り欠いて、その切り欠き１５ａ内にアンテナエレメント１３の基端部１３ａを配置するようにした。
【００２４】
上記構造のアンテナ１０は、図４および図５に示すように、アンテナエレメント１３が形成された第１の部分１０ａを表示筐体２内に配置し、アンテナグランド１５が形成された第２の部分１０ｂを機器本体４内に配置する姿勢で、ノートＰＣ１に取り付けられる。具体的には、表示筐体２の一端側壁部に図示しないスリットが形成されており、このスリットを介してアンテナ１０の第１の部分１０ａが挿通される。また、機器本体４にも図示しないスリットが形成されており、このスリットを介してアンテナ１０の第２の部分１０ｂが挿通される。
【００２５】
特に、アンテナエレメント１３が形成されたアンテナ１０の第１の部分１０ａは、図５に示すように、表示筐体２を機器本体４に重ねて折り畳んだ状態で、機器本体４から離れた表示筐体２の背面２ｂ側に片寄った位置に配置されている。アンテナ１０のＦＰＣ基板１１は、各筐体２、４に対して図示しないネジにより固定される。この際、筐体２、４のいずれか一方に対して固定するようにしても良い。或いは、筐体２、４側にボス部を突設せしめてＦＰＣ基板１１に設けた孔に挿通せしめても良い。また、アンテナ１０のＦＰＣ基板１１をテープで筐体に貼り付けても良い。
【００２６】
上記のように、アンテナエレメント１３を表示筐体２の背面２ｂに近い位置に配置することで、図５に示すようにノートＰＣ１を閉じた状態で、無線通信特性が劣化することを防止できる。つまり、このレイアウトを採用すると、表示筐体２を閉じたとき、機器本体４内に配置された金属部材（図示せず）からアンテナエレメント１３を遠ざけることができ、アンテナ特性が劣化することを防止できる。
【００２７】
図６には、アンテナエレメント１３が形成された第１の部分１０ａを収容配置する収容部として、表示筐体２の背面２ｂを部分的に突出させたケース２ｃを備えた変形例を図示してある。この例では、第１の部分１０ａをケース２ｃの内面に沿って延設し、表示筐体２を閉じた状態でアンテナエレメント１３が機器本体４からできるだけ離れるようにアンテナ１０をレイアウトした。このレイアウトにより、アンテナ１０の特性をより良好にできる。
【００２８】
以上のように、本実施の形態によると、アンテナエレメント１３を表示筐体２側に配置した状態で、アンテナエレメント１３に対する給電位置を機器本体４側に設けたため、機器本体４内に配置した無線モジュール１２とアンテナ１０を接続する同軸ケーブル１４をヒンジ部６を通して配線する必要がない。このため、同軸ケーブル１４の直径に制約がなく、同軸ケーブル１４の直径を大きくできケーブルの断面積を大きくでき、且つ、同軸ケーブル１４の配線長を比較的短くでき、その分、伝送する信号の劣化を抑制でき、アンテナ特性を良好にできる。
【００２９】
なお、本実施の形態のようにアンテナを機器本体４側に配置したノートＰＣとして、機器本体４の左右の端辺に沿ってアンテナを配置した技術なども知られているが、機器本体４の左右の端辺には、図１にも図示するように、複数種類のコネクタ類がレイアウトされているため、複数のアンテナを配置するスペースを確保するのが難しい。また、仮に、機器本体４の左右端辺にアンテナを配置したとしても、キーボードやマウスを操作する際に、作業者の手がアンテナ近くに配置されてアンテナの通信性能が低下してしまう。
【００３０】
これに対し、本実施の形態のようにアンテナ１０を２つの筐体２、４の接続部分に配置することで、複数のアンテナを並べて容易にレイアウトすることができ、作業者の手がアンテナ１０に重なることもないので、良好な通信性能を発揮できる。また、見方を変えると、アンテナ１０を２つの筐体２、４の接続部分に配置することで、機器本体４の左右の端辺にコネクタ類を配置するスペースを確保できる。
【００３１】
また、本実施の形態のレイアウトによると、アンテナエレメント１３を表示筐体２側に配置できるので、図４に示すように、表示筐体２を開き位置に配置した状態で、アンテナエレメント１３を立位の姿勢に配置でき、通信性能を高めることができる。つまり、表示筐体２を立位に開いた状態で金属製の机の上に機器本体４設置した場合を想定すると、アンテナエレメント１３を金属製の机から遠ざけることができ、良好な通信状態を維持できる。これに対し、アンテナを機器本体４の左右側壁部に配置した場合、表示筐体の開閉状態に係らず、アンテナエレメントを機器本体４の上面より上方に配置することはできない。
【００３２】
また、表示筐体２のヒンジ部６から離間した上端に沿ってアンテナを配置する従来のアンテナレイアウトと比較しても、本実施の形態のアンテナレイアウトを採用した場合、同軸ケーブルの長さを短くできるだけではなく、表示筐体２の液晶パネル８周辺のベゼル幅を狭くでき、美観上も好ましい。つまり、表示筐体２の上端にアンテナを配置する場合には、同軸ケーブルを表示筐体２の周辺部に沿って引き回し配線する必要があり、複数のアンテナを配置した場合などには、同軸ケーブルの配線スペースを確保するためベゼル幅を広くとる必要がある。
【００３３】
図７および図８には、無線モジュール１２をアンテナ１０の第２の部分１０ｂに実装した変形例を示してある。図７には、無線モジュール１２を実装したアンテナ１０’をレイアウトしたノートＰＣ１の概略斜視図を示してあり、図８には、アンテナ１０’の拡大図を示してある。具体的には、この変形例においては、ＦＰＣ基板１１の第２の部分１０ｂに形成したアンテナグランド１５の上に無線モジュール１２を実装した。
【００３４】
この変形例によると、アンテナエレメント１３の基端部にある給電位置に無線モジュール１２を重ねて配置でき、無線モジュール１２とアンテナ１０’をつなぐ配線が不要となる。つまり、この変形例によると、アンテナ１０’と無線モジュール１２をつなぐ同軸ケーブル１４が不要となるため、伝送する信号が劣化することがなく、上述した実施の形態よりさらにアンテナ特性を良好にできる。
【００３５】
ところで、図３に示した形状のアンテナ１０や図８に示した形状のアンテナ１０’を２つの筐体２、４を架橋するように配置した場合、表示筐体２を閉じた際に、機器本体４側に配置したアンテナグランド１５と表示筐体２側に配置したアンテナエレメント１３が上下に重なってしまう。このようにアンテナエレメント１３がアンテナグランド１５に重なってしまうと、アンテナ特性が劣化することが懸念される。図４および図６に示すようにアンテナエレメント１３を表示筐体２の背面２ｂ側に片寄らせて配置することでこの問題を概ね解消することができるが、表示筐体２を閉じ位置に配置した状態で、アンテナエレメント１３とアンテナグランド１５が重ならないことがより好ましい。
【００３６】
図９には、折り曲げた状態でアンテナエレメント１３とアンテナグランド１５が重なる部位を少なくしたアンテナの変形例を示してある。言い換えると、この変形例では、アンテナエレメント２３の少なくとも一部をアンテナグランド２５に重ならないようにした。このアンテナ２０は、Ｌ字状のＦＰＣ基板２１、Ｌ字状のアンテナエレメント２３、および矩形のアンテナグランド２５を有する。基本的な構造は、上述した実施の形態と同じであるため、同様に機能する部分についての詳細な説明は省略する。
【００３７】
つまり、このアンテナ２０は、アンテナエレメント２３を形成したＦＰＣ基板２１の第１の部分２０ａを第２の部分２０ｂとの間の境界から横方向（図中右方向）に離れる方向に延設し、この横方向に長い第１の部分２０ａにアンテナエレメント２３を形成した。このアンテナ２０を第１の部分２０ａと第２の部分２０ｂとの間の境界線で折り曲げると、図中右側に示すように、アンテナエレメント２３の大部分がアンテナグランド２５に重なる領域から外れることになる。
【００３８】
このように、アンテナ２０を折り曲げた状態で、アンテナエレメント２３がアンテナグランド２５に重なる部分を少なくすることで、アンテナ特性を良好にできる。理想的には、アンテナを折り曲げたときにアンテナエレメントとアンテナグランドが全く重ならないことが望ましく、例えば、図１０に示す形状のアンテナ３０が理想的である。見方を変えると、図１０のアンテナ３０は、折り曲げた状態で、アンテナエレメント３３に重ならない位置にアンテナグランド３５を形成したことになる。
【００３９】
上述したように、アンテナ特性を良好にするためには、アンテナエレメントに重なる位置に導電性の部材を配置しないことが重要である。本発明のアンテナレイアウトを採用した場合、表示筐体２と機器本体４を架橋するようにアンテナが取り付けられる。つまり、表示筐体２と機器本体４との間の隙間にアンテナエレメントを配置することで、アンテナ特性をより良好にできる。
【００４０】
図１１および図１２には、２つの筐体２、４間の隙間Ｇにアンテナエレメント４３を配置したアンテナ４０を示してある。これによると、アンテナ４０は、第１の部分４０ａを表示筐体２内に介在せしめるとともに、第２の部分４０ｂを機器本体４内に介在せしめることで、ノートＰＣ１に取り付けられている。表示筐体２と機器本体４との間に隙間Ｇを形成することで、アンテナ４０の隙間Ｇに介在された部分が第３の部分４０ｃとなる。この第３の部分４０ｃは、第１の部分４０ａと第２の部分４０ｂの間にある。そして、この例では、第３の部分４０ｃにアンテナエレメント４３を形成した。
【００４１】
この状態では、アンテナ４０が隙間Ｇに配置された第３の部分４０ｃが露出された状態となる。このため、隙間Ｇを覆うカバー部材５０を設けた。このカバー部材５０は、非導電性の材料、例えば樹脂フィルムにより形成され、ヒンジ部６の回動に応じて変形可能となっている。カバー部材５０を非導電性材料により形成することで、アンテナエレメント４３に重なる部材を非導電性部材とすることができ、アンテナ特性を良好に維持できる。
【００４２】
本願発明のように、アンテナを２つの筐体２、４間にレイアウトした場合における放射効率を調べるため、図１３に示す逆Ｆアンテナ方式のモデルアンテナ６０を、図１４および図１５に示す従来のレイアウトで配置した場合と、図１６および図１７に示す本願発明のレイアウトで配置した場合それぞれにおける放射効率をシュミレーションにより算出した。その結果を図１８にグラフにして示す。なお、図１８では、比較のため、アンテナ６０単体での放射効率をシュミレーションにより算出した結果を併記した。
【００４３】
なお、図１４乃至図１７では、表示筐体２側の構造物として液晶パネル８だけを図示し、機器本体４に対して表示筐体２を９０°の角度で開いた状態として、ノートＰＣ１を模式的に示してある。また、各図では、アンテナ６０のＦＰＣ基板の図示を省略した。
【００４４】
シュミレーションの条件として、機器本体４を金属製の机に置いた場合を想定して、機器本体４を金属板６１の上に載置したものとした。また、アンテナ６０の逆Ｆ形のアンテナエレメント６３の高さを５ｍｍとし、アンテナグランド６５の幅を２９ｍｍとし、高さを３０ｍｍとした。さらに、機器本体４と液晶パネル８の下端との間の距離を２０ｍｍとし、機器本体４の厚さを１０ｍｍとした。
【００４５】
図１４および図１５に示す従来のレイアウトでは、アンテナ６０を機器本体４のヒンジ部６に近い上面角部に取り付けた。このとき、アンテナエレメント６３を機器本体４の図中左端から外側へ突出させた。また、図１６および図１７に示す本発明のレイアウトでは、アンテナ６０を表示筐体２と機器本体４との間の接続部分で且つ図中左端側へ片寄った位置に取り付けた。この場合、アンテナエレメント６３は、表示筐体２の下端２ａに向けて上方に突出している。
【００４６】
図１８に示したシュミレーション結果を見ると、本願発明のアンテナレイアウトを採用した場合、従来のレイアウトと比較して、比較的広い周波数帯域にわたって、放射効率が３〜４ｄＢ程度向上しているのが分かる。また、アンテナ単体と比較しても、２．４ＧＨｚ付近における放射効率は殆ど変わらない。つまり、本発明のレイアウトを採用した場合、アンテナエレメント６３を金属板６１から離間させることができるため、アンテナ単体と同程度の放射効率とすることができる。
【００４７】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【００４８】
例えば、上述した実施の形態では、ノートＰＣに本発明のアンテナレイアウトを採用した場合について説明したが、これに限らず、２つ折りタイプの携帯電話に本発明のレイアウトを採用しても良い。
【図面の簡単な説明】
【００４９】
【図１】この発明の実施の形態に係る電子機器の一例としてのノートＰＣを示す概略図。
【図２】図１のノートＰＣのアンテナレイアウトについて説明するための概略図。
【図３】図２のアンテナを拡大して示す概略図。
【図４】表示筐体を開いた状態におけるアンテナの状態を説明するための図。
【図５】表示筐体を閉じた状態におけるアンテナの状態を説明するための図。
【図６】表示筐体の背面に収容部を突設した例を示す図。
【図７】アンテナに無線モジュールを実装した例を示す概略図。
【図８】図７のアンテナを拡大して示すが概略図。
【図９】アンテナを折り曲げた状態でアンテナエレメントの少なくとも一部がアンテナグランドに重ならない形状について説明するための図。
【図１０】折り曲げた状態でアンテナエレメントがアンテナグランドに重ならない形状のアンテナの一例を示す概略図。
【図１１】表示筐体と機器本体との間の隙間にアンテナエレメントを配置した例を示す概略図。
【図１２】図１１の要部の構造をノートＰＣの側面側から見た模式図。
【図１３】シュミレーションのためのモデルとなるアンテナの構造を説明するための図。
【図１４】図１３のアンテナを従来のレイアウトで取り付けたノートＰＣを示す模式図。
【図１５】図１４の要部の構造を部分的に拡大して示す模式図。
【図１６】図１３のアンテナを本発明のレイアウトで取り付けたノートＰＣを示す模式図。
【図１７】図１６の要部の構造を部分的に拡大して示す模式図。
【図１８】シュミレーション結果を示すグラフ。
【符号の説明】
【００５０】
１…ノートＰＣ、２…挟持筐体…、４…機器本体、６…ヒンジ部、８…液晶パネル、１０…アンテナ、１１…ＦＰＣ基板、１２…無線モジュール、１３…アンテナエレメント、１４…同軸ケーブル、１５…アンテナグランド、５０…カバー部材。
【図１】
2010011405.tif 000003
【図２】
2010011405.tif 000004
【図３】
2010011405.tif 000005
【図４】
2010011405.tif 000006
【図５】
2010011405.tif 000007
【図６】
2010011405.tif 000008
【図７】
2010011405.tif 000009
【図８】
2010011405.tif 000010
【図９】
2010011405.tif 000011
【図１０】
2010011405.tif 000012
【図１１】
2010011405.tif 000013
【図１２】
2010011405.tif 000014
【図１３】
2010011405.tif 000015
【図１４】
2010011405.tif 000016
【図１５】
2010011405.tif 000017
【図１６】
2010011405.tif 000018
【図１７】
2010011405.tif 000019
【図１８】
2010011405.tif 000020